(57)【特許請求の範囲】
【請求項１】
フィルムから導かれた光によって露光することにより前記フィルムに記録されたカラー画像を検出し、このカラー画像の各色成分に対応した画像データをそれぞれ出力する光学センサと、
出力が飽和しないような露光時間を用いて前記光学センサを露光して得られた画像データを構成する画素値の出現頻度を示すヒストグラムをレッド、グリーン、ブルーの少なくとも１つを含む色成分毎に作成するヒストグラム作成手段と、前記ヒストグラムの最大有効値を各色成分毎に求める最大有効値検出手段とを具備し、前記各色成分毎の最大有効値の大きさに基づいて前記フィルムがネガフィルムであるかポジフィルムであるかを判別する判別手段とを備え、
前記判別手段が、（１）ブルーのヒストグラムの最大有効値（ＢＤ）、（２）グリーンのヒストグラムの最大有効値（ＧＤ）、（３）レッドのヒストグラムの最大有効値（ＲＤ）と前記ブルーのヒストグラムの最大有効値（ＢＤ）の比、の中の何れかの値の大きさを評価することにより前記フィルムの判別を行う
ことを特徴とするネガ・ポジ判別装置。
【請求項２】
前記各色成分がレッド、グリーンおよびブルーを含み、前記ヒストグラム作成手段がレッド、グリーンおよびブルーの画像データに関してヒストグラムをそれぞれ作成することを特徴とする請求項１に記載のネガ・ポジ判別装置。
【請求項３】
前記グリーンのヒストグラムの最大有効値が相対的に大きいとき、前記判別手段は前記フィルムがポジフィルムであると判別することを特徴とする請求項１に記載のネガ・ポジ判別装置。
【請求項４】
前記レッドのヒストグラムの最大有効値のブルーのヒストグラムの最大有効値に対する比が相対的に小さいとき、前記判別手段は前記フィルムがネガフィルムであると判別することを特徴とする請求項１に記載のネガ・ポジ判別装置。
【請求項５】
前記グリーンのヒストグラムの最大有効値（ＧＤ）と、前記ブルーのヒストグラムの最大有効値（ＢＤ）の前記レッドのヒストグラムの最大有効値（ＲＤ）に対する比（ＢＤ／ＲＤ）との積（ＧＤ×ＢＤ／ＲＤ）が第１の基準値より大きいとき、前記判別手段は前記フィルムがポジフィルムであると判別することを特徴とする請求項２に記載のネガ・ポジ判別装置。
【請求項６】
前記ブルーのヒストグラムの最大有効値が相対的に大きいとき、前記判別手段は前記フィルムがポジフィルムであると判別することを特徴とする請求項１に記載のネガ・ポジ判別装置。
【請求項７】
前記露光時間よりも長い第２の露光時間を用いて得られたブルーのヒストグラムの最大有効値が第２の基準値より大きいか、または前記露光時間よりも長い第３の露光時間を用いて得られたグリーンのヒストグラムの最大有効値が第３の基準値より大きいとき、前記フィルムがポジフィルムであると判別することを特徴とする請求項１に記載のネガ・ポジ判別装置。
【請求項８】
前記判別手段は、前記フィルムを装着しない状態において前記光学センサから所定の大きさの出力が得られるような露光時間を用いて、前記ヒストグラムを求めることを特徴とする請求項１に記載のネガ・ポジ判別装置。
【請求項９】
前記判別手段による判別動作を解除する判別動作解除手段を備えたことを特徴とする請求項１に記載のネガ・ポジ判別装置。
【請求項１０】
前記判別動作解除手段は、前記フィルムがポジフィルムであると見做すことを特徴とする請求項９に記載のネガ・ポジ判別装置。
【発明の詳細な説明】
【０００１】
【発明の属する技術分野】
本発明は、例えばフィルムスキャナに搭載され、カラー画像が記録されたフィルムがネガフィルムであるかポジフィルムであるかを判別する装置に関する。
【０００２】
【従来の技術】
（２行目「自然なもの」を「自然」に変えた）
フィルムに記録されたカラー画像を読み取ってディスプレイ装置の画面上に表示するとき、表示されたカラー画像の色合いが自然になるようにするため、フィルムスキャナでは色補正等の画像処理が行なわれる。この画像処理における処理内容はフィルムがネガフィルムであるかポジフィルムであるかによって異なる。そこで従来、装着されているフィルムがネガフィルムであるかポジフィルムであるかを自動的に判別することができるフィルムスキャナが知られている。これは例えば、フィルムのコマ間の領域すなわち画像が記録されていない領域の情報をラインセンサによって読み取り、この領域の透過率を検出することによってフィルムの種類を判別し、あるいはフィルムがスライドマウントに装着されていれば一義的にポジフィルムであると判別するように構成されている。
【０００３】
【発明が解決しようとする課題】
しかし、スライドマウントに装着されるフィルムをポジフィルムであると見做す構成によると、ネガフィルムが装着された場合には利用できない。
【０００４】
本発明は、例えばフィルムスキャナ（画像読取装置）に装着されたフィルムがネガフィルムとポジフィルムのいずれであるかを常に正確に判別することができるネガ・ポジ判別装置を得ることを目的としている。
【０００５】
【課題を解決するための手段】
本発明に係るネガ・ポジ判別装置は、フィルムから導かれた光によって露光することによりフィルムに記録されたカラー画像を検出し、このカラー画像の各色成分に対応した画像データをそれぞれ出力する光学センサと、出力が飽和しないような露光時間を用いて光学センサを露光して得られた画像データに基づいて、各色成分毎に透過率を求め、これらの透過率に基づいてフィルムがネガフィルムであるかポジフィルムであるかを判別する判別手段とを備えたことを特徴としている。
【０００６】
好ましくは判別手段は、画像データを構成する画素値の出現頻度を示すヒストグラムを各色成分毎に作成するヒストグラム作成手段と、ヒストグラムの最大有効値を各色成分毎に求める最大有効値検出手段とを備え、前記各色成分毎の最大有効値の大きさに基づいて、前記フィルムがネガフィルムであるかポジフィルムであるかを判別する。
【０００７】
各色成分は例えばレッド、グリーンおよびブルーを含み、前記ヒストグラム作成手段がレッド、グリーンおよびブルーの画像データに関してヒストグラムをそれぞれ作成する。
【０００８】
判別手段は、例えば、グリーンのヒストグラムの最大有効値が相対的に大きいとき、フィルムがポジフィルムであると判別する。また判別手段は、レッドのヒストグラムの最大有効値に対するブルーのヒストグラムの最大有効値の比が相対的に大きいとき、フィルムがネガフィルムであると判別してもよい。さらに判別手段は、グリーンのヒストグラムの最大有効値（ＧＤ）と、ブルーのヒストグラムの最大有効値（ＢＤ）に対するレッドのヒストグラムの最大有効値（ＲＤ）の比（ＢＤ／ＲＤ）との積（ＧＤ×ＢＤ／ＲＤ）が第１の基準値より大きいとき、フィルムがポジフィルムであると判別してもよい。また判別手段は例えば、ブルーのヒストグラムの最大有効値が相対的に大きいとき、フィルムがポジフィルムであると判別する。判別手段は、相対的に長い第２の露光時間を用いて得られたブルーのヒストグラムの最大有効値が第２の基準値より大きいか、または相対的に長い第３の露光時間を用いて得られたグリーンのヒストグラムの最大有効値が第３の基準値より大きいとき、フィルムがポジフィルムであると判別してもよい。
【０００９】
好ましくは判別手段は、フィルムを装着しない状態において前記光学センサから所定の大きさの出力が得られるような露光時間を用いて透過率を求める。
【００１０】
ネガ・ポジ判別装置は、判別手段による判別動作を解除する判別動作解除手段を備えてもよい。この場合、判別動作解除手段はフィルムがポジフィルムであると見做してもよい。
【００１１】
【発明の実施の形態】
以下、本発明の実施形態を図面を参照して説明する。
図１は本発明の一実施形態であるネガ・ポジ判別装置を備えた画像読取装置を示すブロック図である。
【００１２】
この画像読取装置において用いられる被読取原稿Ｍは透過原稿であり、このフィルムにはカラー画像が記録されている。フィルムＭは原稿移送機構１０によって矢印Ａ方向に間欠的に移送される。フィルムＭの通過経路の上方には光源２０とシリンドリカルレンズ２３が配設され、また下方には結像レンズ３１とラインセンサ３０が設けられている。光源２０の点灯と消灯は光源駆動回路４１によって、またラインセンサ３０による画像の検出動作はラインセンサ駆動回路４２によって制御される。原稿移送機構１０、光源駆動回路４１およびラインセンサ駆動回路４２はシステムコントロール回路４０から出力される指令信号に従って動作する。
【００１３】
ラインセンサ３０から読み出された画像データはアンプ４３により増幅され、Ａ／Ｄ変換器４４によってデジタル信号に変換される。デジタルの画像データは、画像処理回路４５においてシェーディング補正を施された後、メモリ４６に一旦格納される。この画像データはメモリ４６から読み出され、色補正、ガンマ補正等の所定の演算処理を施される。そして画像データは、インターフェース回路４７において所定のフォーマットに従った信号に変換され、入出力端子４８を介して、この画像読取装置の外部に設けられたコンピュータ６０に出力される。画像処理回路４５とインターフェース回路４７は、システムコントロール回路４０により制御される。
【００１４】
本実施形態において、画像読取装置の全ての動作はコンピュータ６０によって制御されるが、スイッチ４９をシステムコントロール回路４０に接続して、このスイッチ４９を操作することによって画像読取装置の動作を制御するように構成してもよい。
【００１５】
図２は原稿移送機構１０、光源２０およびラインセンサ３０を示している。フィルムＭは枠体１１に支持され、枠体１１は板状のステージ１２に止め具１３によって固定される。ステージ１２には、フィルムＭに対応した位置に、図示しない開口が形成されている。ステージ１２の側端面にはラック１４が形成され、このラック１４には原稿送りモータ１５の出力軸に設けられたピニオン１６が噛合している。原稿送りモータ１５はシステムコントロール回路４０の制御に基づいて駆動され、フィルムＭの位置が制御される。
【００１６】
光源２０はステージ１２の上方に位置し、レッド（Ｒ）、グリーン（Ｇ）およびブルー（Ｂ）の光を出射する発光素子２１Ｒ、２１Ｇ、２１Ｂを、この順序で周期的に配列して構成されているが、この配列は目的に応じて変更可能である。なお、図２では発光素子は６個だけ示されているが、さらに多くの発光素子を設けてもよく、あるいは少なくてもよい。これらの発光素子２１Ｒ、２１Ｇ、２１Ｂはステージ１２の幅方向に延びる細長い支持部材２２に支持され、支持部材２２とステージ１２の間には、支持部材２２と平行に延びるシリンドリカルレンズ２３が配設されている。すなわち発光素子２１から出射された光はシリンドリカルレンズ２３によって集光され、フィルムＭの上にライン状に照射される。
【００１７】
ラインセンサ３０はステージ１２を挟んで光源２０の下方に位置し、光源２０とシリンドリカルレンズ２３に平行に設けられている。すなわちラインセンサ３０は、フィルムＭが移送される方向に略直交する方向に延びている。ラインセンサ３０とステージ１２の間には結像レンズ３１が設けられている。結像レンズ３１はラインセンサ３０と平行に延び、ロッドレンズアレイ３２によって構成される。したがって、フィルムＭに対して光源２０によって光が照射されると、このフィルムＭに記録された画像が、結像レンズ３１を介してラインセンサ３０の受光面に結像される。
【００１８】
図３および図４は画像読取装置において実行される画像読取ルーチンを示すフローチャートである。図５は、コンピュータ６０に接続されたディスプレイ装置の画面の一例を示し、本実施形態において画像読取装置の動作は、ディスプレイ装置の画面に表示された所定のマークを例えばマウスを用いてクリックすることにより制御される。
【００１９】
ステップ１０２ではプリスキャンを開始するか否かが判定される。ディスプレイ装置の画面に表示された「プリスキャン」のマークＭＰがクリックされると、ステップ１０２からステップ１０４へ進み、露出測定が実行され、後述するように最適露光時間が求められる。すなわち光源２０が点灯された状態で、フィルムＭが原稿移送機構１０により、ステップ１３０において実行される本スキャンよりも粗いピッチで間欠的に移送される。この間欠移送において、光源２０は、ステージ１２が停止する度に発光素子２１Ｒ、２１Ｇ、２１Ｂが所定の順序で点灯されるように制御される。これにより、フィルムＭに記録された画像に関するＲ、Ｇ、Ｂの画像データが検出される。
【００２０】
露出測定における各発光素子の点灯時間すなわちラインセンサ３０に対する露光時間は、Ｒ、Ｇ、Ｂ毎に異なり、画像読取装置の電源投入時に行なわれる照明キャリブレーションにおいて決定される。すなわち露光時間は、フィルムＭを装着しない状態で発光素子２１Ｒ、２１Ｇ、２１Ｂを別々に点灯し、ラインセンサ３０の各フォトダイオードによって検出される画素値の最大値が所定値となるように定められる。この所定値は、ラインセンサ３０の出力が飽和しないように露光時間を定めるために決定され、画素値が１０ビットで表される場合、例えば９００である。
【００２１】
さて露出測定では、まず、検出されたＲ、Ｇ、Ｂの画像データについて、画素値のレベルの度数（画素数）分布を示すヒストグラムがそれぞれ求められる。図６はヒストグラムの一例であり、横軸は画素値のレベルを示し、縦軸は画素値の出現頻度（度数）を示す。Ｒ、Ｇ、Ｂの各色成分のヒストグラムについて、最大画素値ＭＸから所定量だけ小さい画素値である最大有効値Ｄが求められる。すなわち最大有効値Ｄは、各画素値の度数を最大画素値ＭＸ側から積算し、その積算値が全画素数の例えば１％に達したときの画素値であり、フィルムＭに記録されたカラー画像のＲ、Ｇ、Ｂの各色成分毎の透過率に対応している。
【００２２】
最適露光時間は、露出測定における露光時間ｔと検出された最大有効値Ｄと所定値（例えば１０２３）とに基づいて、下式によって求められる。
最適露光時間＝（所定値／Ｄ）×ｔ
最大有効値Ｄは各色毎に異なり、したがって最適露光時間も各色毎に異なる。ステップ１２２およびステップ１３０では、最適露光時間を用いて粗読み取りおよび本スキャンがそれぞれ実行される。
【００２３】
ステップ１０６〜１１６では、フィルムＭがネガフィルムであるかポジフィルムであるかを判別するネガ・ポジ判別が行なわれ、ネガフィルムあるいはポジフィルムに応じた処理が実行される。
【００２４】
ステップ１０６では、自動判別モードが選択されているか否かが判定される。自動判別モードは、ネガ・ポジ判別を画像読取装置において自動的に行なうモードであり、ディスプレイ装置の画面に表示された「ネガ・ポジ判別」の「自動」のマークＭＪをマウスを用いてクリックすることにより設定される。図５に示されるように「自動」のマークＭＪが黒に切換えられ、自動判別モードが選択されているとき、ステップ１０８においてネガ・ポジ判別が実行される。ネガ・ポジ判別については後述する。
【００２５】
ステップ１１０では、ネガ・ポジ判別によって、フィルムＭがポジフィルムであると判別されたか否かが判定される。フィルムＭがネガフィルムであるとき、ステップ１１２においてネガ読取モード処理が実行され、ポジフィルムであるとき、ステップ１１６においてポジ読取モード処理が実行される。
【００２６】
ステップ１１２のネガ読取モード処理では、ラインセンサ３０の出力信号（画素値）に対して色補正とネガ／ポジ変換するための露光パラメータが求められる。まず、最大有効値Ｄを求めた処理と同様にして最小有効値ｄが求められる。すなわち最小有効値ｄは、各画素値の度数を最小画素値ＭＩ側から積算し、その積算値が全画素数の例えば１％に達したときの画素値である（図６参照）。露光パラメータは、最大有効値Ｄと最小有効値ｄを用いて求められる。
【００２７】
次に露光パラメータの算出について説明する。
（１）式は色補正とネガ／ポジ変換を施すための式であり、これによって得られた正規化データは、メモリ４６に格納されたルックアップテーブル（ＬＵＴ）を参照することにより、ガンマ補正等の補正を施される。
【００２８】
【数１】
0003569450.tif 000002
【００２９】
（１）式において、Ｌ１、Ｌ２は、ガンマ補正等を行うためのルックアップテーブル（ＬＵＴ）の下側基準値と上側基準値である。すなわち下側基準値Ｌ１はＬＵＴにおいて参照可能な画素値の最小値であり、上側基準値Ｌ２はＬＵＴにおいて参照可能な画素値の最大値である。
【００３０】
図６のヒストグラムＨ１における画素値は次の（２）式に従ってオフセット減算を施される。
Ｘ１＝（画素値−ｄ）＋Ｌ１                                              （２）
【００３１】
すなわち（画素値−ｄ）の項によって、画素値が最小有効値ｄだけ減算され、ヒストグラムＨ１は図６の左側にシフトする。このシフト後の画素値に下側基準値Ｌ１を加算することにより、図７に示されるヒストグラムＨ２が得られる。
【００３２】
ヒストグラムＨ２の実質的な分布幅Ｗ１はＬ１〜（Ｄ−ｄ）＋Ｌ１であるが、（３）式に従って分布幅Ｗ２に変換される。
【００３３】
【数２】
0003569450.tif 000003
【００３４】
すなわち、図８のヒストグラムＨ２における画素値Ｘ１からオフセットＬ１を引いた値（Ｘ１−Ｌ１）に係数（Ｌ２−Ｌ１）／（Ｄ−ｄ）を乗じることにより、図８に示される分布幅Ｗ２に拡大される。これに下側基準値Ｌ１を加算することにより、図８に示されるヒトグラムＨ３が得られる。
【００３５】
次に、上側基準値Ｌ２から（２）式のＸ２を減じるとともに下側基準値Ｌ１を加算することにより（（４）式参照））、ヒストグラムは図において左右に反転される。すなわち画像データがネガ／ポジ変換され、図９に示される正規化データのヒストグラムＨ４が得られる。
【００３６】
【数３】
0003569450.tif 000004
【００３７】
このように画像データのヒストグラムは（４）式によって、最小有効値ｄから最大有効値Ｄの分布範囲が上側基準値Ｌ２から下側基準値Ｌ１の分布範囲へ変換される。この分布範囲の変換が、Ｒ、ＧおよびＢの各色成分についてそれぞれ独立に行なわれることによって、各色成分のバランスがとられ、読み取られた画像が本来有する自然な色調で再現され得る。すなわち各色成分のヒストグラムの分布範囲が調整されることによって、画像データが色補正される。なお（４）式において、
Ｌ２＋｛（Ｌ２−Ｌ１）／（Ｄ−ｄ）｝×ｄ
はオフセット値、
（Ｌ２−Ｌ１）／（Ｄ−ｄ）
は係数であり、これらオフセット値と係数は露光パラメータである。これらの露光パラメータはＲ、Ｇ、Ｂの各色成分毎に求められる。
【００３８】
ステップ１１６のポジ読取モードでは、ネガ読取モードのように露光パラメータは演算されないが、所定の補正演算処理が実行される。
【００３９】
一方、ステップ１０６において自動判別モードが選択されていないと判定されたとき、ステップ１１４において、ポジ読取モードが選択されているか否かが判定される。ポジ読取モードはディスプレイ装置の画面に表示された「ポジ」のマークＭＦをマウスを用いてクリックすることにより選択され、このときステップ１１６が実行される。これに対し、ポジ読取モードが選択されていないとき、すなわちネガ読取モードが選択されているときは、ステップ１１２が実行される。ネガ読取モードは、ディスプレイ装置の画面に表示された「ネガ」のマークＭＮをマウスを用いてクリックすることにより選択される。
【００４０】
ステップ１１２、１１６の実行の後、ステップ１２２において粗読み取りが行なわれる。すなわち、ステップ１３０において実行される本スキャンよりも粗いピッチでステージ１２が間欠的に移送される。この間欠移送の間に、ラインセンサ３０が、Ｒ、Ｇ、Ｂの各色成分毎に最適露光時間だけ露光されて画像データが検出される。各色成分の画像データはＡ／Ｄ変換器４４によりデジタルの画像データに変換される。
【００４１】
画像データは、画像処理回路４５において、ネガフィルムの場合には、ステップ１１２において求められた露光パラメータを用いて色補正とネガ／ポジ変換を施され、ポジフィルムの場合には、所定の演算処理を施される。この後、画像データはガンマ補正を施された後、ステップ１２４の実行により、入出力端子４８を介してコンピュータ６０へ出力され、コンピュータ６０に接続されたディスプレイ装置の画面上にカラー画像が表示される。次いでステップ１２６では、フィルムＭが読取原点すなわち同画像の端部がラインセンサ３０に対応した位置に来るように復帰する。
【００４２】
ステップ１２８では本スキャンを開始するか否かが判定される。ユーザはディスプレイ装置の画面に表示された画像を見ることによって、本スキャンを開始するか否かを判断することができる。例えばマウスを用いて本スキャンを開始するためのマークＭＳをクリックすることにより、ステップ１２８からステップ１３０へ移り、本スキャンが実行される。本スキャンでは、相対的に細かいピッチで画像の読取が行なわれ、この画像はプリスキャンと同様な作用によってディスプレイ装置の画面上に表示される。そして、フィルムＭは所定の読取原点の位置まで復帰せしめられ、このルーチンは終了する。
【００４３】
これに対し、ステップ１２８において本スキャンを開始しないと判定されたとき、ステップ１３４において読取動作等の処理を中止するか否かが判定される。ディスプレイ装置の画面上の「キャンセル」のマークＭＣをクリックすることによって処理の中止が選択されているとき、ステップ１３２が実行され、このルーチンは終了する。処理の中止が選択されていないときは、ステップ１３６においてプリスキャンを実行すべきか否かが判定される。ディスプレイ装置の画面に表示された「プリスキャン」のマークＭＰがクリックされたとき、プリスキャンを実行すべくステップ１３６からステップ１０４へ戻る。これに対し、プリスキャンを実行しないとき、ステップ１２８へ戻る。
【００４４】
次にステップ１０８において実行されるネガ・ポジ判別について説明する。ネガ・ポジ判別は露出測定において求められたヒストグラムを用いて行なわれる。Ｒ、Ｇ、Ｂの各色成分に関するヒストグラムにおいて最大有効値がそれぞれＲＤ、ＧＤ、ＢＤであるとすると、Ｇの最大有効値ＧＤはポジフィルムに比べてネガフィルムの場合の方が小さい傾向にあり、Ｒの最大有効値ＲＤに対するＢの最大有効値ＢＤはポジフィルムに比べてネガフィルムの方が小さい傾向にある。
【００４５】
したがってネガ・ポジ判別の第１の例として、（ＧＤ×ＢＤ）／ＲＤを計算し、この計算結果が第１の基準値（例えば１１０）よりも大きい場合、フィルムＭはポジフィルムであると判別し、それ以外の場合、フィルムＭはネガフィルムであると判別することができる。すなわち、最大有効値ＧＤが相対的に大きいとき、フィルムＭがポジフィルムであると判別することができ、また最大有効値ＲＤに対する最大有効値ＢＤの比が相対的に小さいとき、フィルムＭがネガフィルムであると判別することができるが、第１の例では、ネガ・ポジの差を顕著にするために、（ＧＤ×ＢＤ）／ＲＤの値に応じてネガ・ポジ判別している。
【００４６】
一方ネガ・ポジ判別の第２の例では、最大有効値ＢＤ、ＧＤはポジフィルムにおいてネガフィルムよりも大きい傾向にある、という性質を利用している。この例では、Ｒに関しては露出測定によって得られたヒストグラムをそのまま利用するが、Ｇ、Ｂに関しては、異なる露光時間を用いて得られたヒストグラムを利用する。すなわち、Ｇに関しては露出測定における露光時間の２倍の露光時間を用いて得られたヒストグラムの最大有効値ＧＤ２を用い、Ｂに関しては露出測定における露光時間の３倍の露光時間を用いて得られたヒストグラムの最大有効値ＧＤ２を用いている。
【００４７】
このようにＲ、Ｇ、Ｂにおいてそれぞれ露光時間を変えると、ポジフィルムとネガフィルムでは、ヒストグラムの幅が変化する。すなわち、図１０に示されるように、ポジフィルムの場合、ＲのヒストグラムＨＲ１に対して、ＧのヒストグラムＨＧ１とＢのヒストグラムＨＢ１は、それぞれ幅が大きくなる傾向にある。これに対し、ネガフィルムの場合、Ｒ、Ｇ、ＢのヒストグラムＨＲ２、ＨＧ２、ＨＢ２はポジフィルムの場合ほど差が生じない。
【００４８】
したがって第２の例では、最大有効値ＢＤ２が第２の基準値より大きいか、あるいは最大有効値ＧＤ２が第３の基準値より大きいとき、フィルムＭはポジフィルムであると判別し、それ以外のとき、ネガフィルムであると判別している。
【００４９】
図１１は本発明の他の実施形態である画像読取装置に接続されたコンピュータのディスプレイ装置の画面を示す。この図に示されるように、画面には、自動判別モードを選択するためのマークＭＪと、ポジモードを選択するためのマークＭＦのみが表示されている。ポジモードが選択されるとき、自動判別モードは解除され、フィルムＭはポジフィルムであると見做される。この実施形態では、フィルムＭが実際にはポジフィルムであるのにネガフィルムであると判別するおそれがある場合に、有効である。
【００５０】
以上のように各実施形態は、フィルムＭに記録されたカラー画像をラインセンサ３０によって検出し、Ｒ、Ｇ、Ｂの各色成分のヒストグラムの最大有効値に基づいてフィルムＭがポジフィルムであるかネガフィルムであるかを判別している。したがって、フィルムＭのコマ間の領域の透過率とは関係なく、またスライドマウントに装着されたフィルムであっても、適切に判別することができる。
【００５１】
【発明の効果】
以上のように本発明によれば、画像読取装置に装着されたフィルムがネガフィルムとポジフィルムのいずれであるかを常に正確に判別することができる。
【図面の簡単な説明】
【図１】本発明の一実施形態である画像読取装置を示すブロック図である。
【図２】原稿移送機構、光源およびラインセンサを示す斜視図である。
【図３】画像読取ルーチンを示すフローチャートの前半部分である。
【図４】画像読取ルーチンを示すフローチャートの後半部分である。
【図５】コンピュータに接続されたディスプレイ装置の画面の一例を示す図である。
【図６】ラインセンサによって得られた画素値の分布を示すヒストグラムの図である。
【図７】図６のヒストグラムにオフセット演算を施すことによって得られたヒストグラムを示す図である。
【図８】図７のヒストグラムに係数（Ｌ２−Ｌ１）／（Ｄ−ｄ）を乗じることにより得られたヒストグラムを示す図である。
【図９】正規化データのヒストグラムを示す図である。
【図１０】図３のステップ１０８において実行されるネガ・ポジ自動判別のサブルーチンにおいて得られるヒストグラムを示す図である。
【図１１】本発明の他の実施形態である画像読取装置に接続されたコンピュータのディスプレイ装置の画面を示す図である。
【符号の説明】
３０    光学センサ
Ｍ    フィルム
【図１】
0003569450.tif 000005
【図２】
0003569450.tif 000006
【図３】
0003569450.tif 000007
【図４】
0003569450.tif 000008
【図５】
0003569450.tif 000009
【図６】
0003569450.tif 000010
【図７】
0003569450.tif 000011
【図８】
0003569450.tif 000012
【図９】
0003569450.tif 000013
【図１０】
0003569450.tif 000014
【図１１】
0003569450.tif 000015